(57)【要約】【課題】演出効果が高く、かつ製造が容易なポップアップカードを提供する。【解決手段】台紙２と一体のまま展開可能なポップアップ体１１との２点の部品のみでポップアップカード１を構成したので、製造（組立）が容易であり、箱体１２が手前に飛び出す演出効果が高いポップアップカード１を低コストで製造することができる。【選択図】図６
0003234639.tif 000002
【実用新案登録請求の範囲】
【請求項１】
折り目を軸に開閉可能な二つ折りの台紙と、該二つ折りの台紙に折り込まれたポップアップ体と、を有するポップアップカードであって、
前記ポップアップ体は、前記台紙を開くことにより手前に飛び出して箱形状をなすことを特徴とするポップアップカード。
【請求項２】
請求項１に記載のポップアップカードであって、
前記ポップアップ体は、前記台紙の折り目を含む対称面に関して面対称をなし、
前記対称面上で折り目となる一辺を共有し、台紙を開くことにより対辺側が開く一対の側面部と、
前記一対の側面部の天側の辺の間に設けられ、前記対称面上に折り目を有する天面部と、
前記対称面上で折り目となる一辺を共有し、一端が前記台紙に接続され、他端が前記一対の側面部の底側の辺に接続される一対の起立部と、
を備えることを特徴とするポップアップカード。
【請求項３】
請求項２に記載のポップアップカードであって、
前記天面部と一側の側面部とが抜き差し可能な連結部により連結されることを特徴とするポップアップカード。
【請求項４】
請求項２又は３に記載のポップアップカードであって、
前記一対の側面部と前記一対の起立部との間に開口が形成されることを特徴とするポップアップカード。
【請求項５】
請求項１乃至４のいずれかに記載のポップアップカードであって、
前記ポップアップ体は、一体のまま展開可能であることを特徴とするポップアップカード。
【考案の詳細な説明】
【技術分野】
【０００１】
本考案は、二つ折りの台紙を折り目を軸に開くと立体が飛び出すポップアップカードに関する。
【背景技術】
【０００２】
特許文献１には、二つ折りの表紙を開く過程で作動部材が起立し、表紙に折り込まれたポップアップ３Ｄが引き上げられることにより中空立体構造が飛び出すポップアップカードが開示されている。
【先行技術文献】
【特許文献】
【０００３】
【特許文献１】実用新案登録第３２２５６１１号公報
【考案の概要】
【考案が解決しようとする課題】
【０００４】
上記従来のポップアップカードでは、ポップアップ体（ポップアップ３Ｄモデル）と別個に設けられた作動部材の一端を台紙に接続し、その他端をポップアップ体に接続するので、部品点数が多く、製造工程が煩雑化する要因になっていた。
本考案の課題は、部品点数が少なく、製造が容易なポップアップカードを提供することにある。
【課題を解決するための手段】
【０００５】
前記課題を解決するため、本考案は、折り目を軸に開閉可能な二つ折りの台紙と、該二つ折りの台紙に折り込まれたポップアップ体と、を有するポップアップカードであって、前記ポップアップ体は、前記台紙を開くことにより手前に飛び出して箱形状をなすことを特徴とする。
【考案の効果】
【０００６】
本考案に係るポップアップカードによれば、部品点数が少なく、容易に製造することができる。
【図面の簡単な説明】
【０００７】
【図１】本実施形態に係るポップアップカードにおけるポップアップ体の展開図である。
【図２】本実施形態に係るポップアップカードにおける台紙の展開図である。
【図３】本実施形態の説明図であり、台紙が二つ折りされた状態を示す。
【図４】本実施形態の説明図であり、図３の状態から台紙を僅かに開いた状態を示す図である。
【図５】本実施形態の説明図であり、図４の状態から台紙をさらに開いた状態を示す図である。
【図６】本実施形態の説明図であり、台紙を完全に開いた状態を示す図である。
【図７】本実施形態の説明図であり、図６の状態を角度を変えて見たときの図である。
【考案を実施するための形態】
【０００８】
本考案の一実施形態を添付した図を参照して説明する。
本実施形態に係るポップアップカード１は、矩形の台紙２（図２参照）を有する。台紙２は、折り目５を軸に開閉可能な二つ折り構造をなす。便宜上、図２において台紙２の折り目５よりも左側の区画を表紙３と称するとともに、図２において台紙２の折り目５よりも右側の区画を表紙４と称するが、台紙２の方向を限定する意図はない。また、台紙２の形状は、矩形（長方形）に限定する意図はない。
【０００９】
二つ折りの台紙２には、ポップアップ体１１（図１参照）が折り込まれる。換言すれば、ポップアップ体１１は、折り畳まれた状態で表紙３，４間に挟み込まれている。ポップアップ体１１は、台紙２を開くことで台紙２から手前に飛び出して箱体１２（箱形状、図６参照）を形成する。ポップアップ体１１は、台紙２の折り目５を含む対称面（以下「対称面」と称する）に関して面対称をなす。ここで、対称面が表紙３に対してなす角度と、対称面が表紙４に対してなす角度とを同一とする。
【００１０】
図１に示されるように、ポップアップ体１１は、一体のまま（切り離すことなく）展開することができる。ポップアップ体１１は、折り目２３（一辺）により図１における左右に分画された一対の起立部２１，２２を有する。起立部２１，２２は、図１における下部に設けられた折り目２３を軸に開閉可能である。起立部２１，２２の上部（図１における折り目２３よりも上側の部分）は、図１における上に向かって開くように離間される。
【００１１】
起立部２１，２２の図１における下側の辺２５，２６（一端）には、糊代部３５，３６が設けられる。糊代部３５，３６は、辺２５，２６（折り目）を軸に図１における後方へ折り曲げられ、手前の面３７，３８が表紙３，４の見開き面７，８に接着される。糊代部３５，３６は、起立部２１，２２の辺２５，２６が図２における下に向かって開くように表紙３，４に固定（見開き面７，８に接着）される。換言すれば、起立部２１，２２の折り目２３は、図１において（正面から見て）谷折りである。なお、起立部２１，２２の辺２５，２６が台紙２上でなす角度θ１（図２参照）は、例えば１２０度である。
【００１２】
起立部２１，２２は、台紙２が二つ折りの状態のとき、表紙３，４間で、合せ面２７，２８を対向させるようにして折り畳まれる。起立部２１，２２は、二つ折りの台紙２を折り目５を軸に開く過程で、辺２５，２６がなす角度θ１（図２参照）を増加させながら起立する。起立部２１，２２の図１における上側の辺２９，３０（他端）には、箱体１２（図６参照）の一対の側面部４１，４２が折り目４３，４４を介して接続される。起立部２１，２２の上側の辺２９，３０と側面部４１，４２の図１における下側の辺４５，４６（底側の辺）とは、折り目４３，４４上で一致する。
【００１３】
側面部４１，４２は、対称面上に位置する折り目４７（一辺）により図１における左右に分画される。側面部４１，４２の折り目４７は、図１において（正面から見て）手前に突出する山折りである。側面部４１，４２は、折り目４７の図１における下端から横に延びる辺４９，５０を有する。側面部４１，４２の辺４９，５０と辺４５，４６（底側の辺）とは、段部５１，５２を介して連続する。折り目４７が図１において水平であるのに対し、折り目４３，４４は、外側へ向かって下り勾配で傾斜している。
【００１４】
なお、側面部４１，４２の外側の辺５３，５４（対辺）の下端部には、外側へ突出する半円形の突出部５５，５６が設けられる。また、ポップアップ体１１には、側面部４１，４２と起立部２１，２２とにより囲まれた図１において略逆三角形の開口１３が形成される。
【００１５】
図６に示されるように、箱体１２は、側面部４１，４２間に設けられる天面部６１を有する。天面部６１は、扇形に形成され、図１において時計回り側の辺６４が折り目６２を介して側面部４２の辺５８（天側の辺）に接続される。他方、天面部６１の図１において反時計回り側の辺６３は、結合部６５により側面部４１の辺５７（天側の辺）に結合される。結合部６５は、天面部６１の辺６３に設けられた差込み部６６を、側面部４１の辺５７に設けられたタブ６７のスリット６８に差し込むことにより、側面部４１と天面部６１とを結合する。
【００１６】
天面部６１は、図１において谷折りの折り目６９を有する。天面部６１は、折り目６９を軸に閉じることにより辺６３，６４が重なり二つ折りになる。なお、天面部６１は、二つ折りにされた状態で、円弧辺７０が図１における手前に突出するが、開口１３によりポップアップ体１１の他の部分（起立部２１，２２及び側面部４１，４２）との干渉が回避される。
【００１７】
次に、本実施形態の作用を説明する。
図３は、台紙２が二つ折りにされた状態を示す。そして、図４に示されるように、二つ折りにされた台紙２を漸次開くと、台紙２が開く過程で、台紙２の表紙３，４間に折り込まれたポップアップ体１１の起立部２１，２２が次第に起き上がる。
【００１８】
台紙２をさらに開くと、図５に示されるように、起立部２１，２２間で二つ折りにされた側面部４１，４２は、起立部２１，２２の起立動作に連動して、折り目４７を軸にして外側の辺５３，５４（対辺）側が開く。また、側面部４１，４２間で二つ折りにされた天面部６１は、側面部４１，４２の開動作に連動して、折り目６９を軸にして開く。
【００１９】
そして、台紙２を平坦になるまで開くと（図６参照）、天面部６１が略平坦になり、起立部２１，２２により支持された箱体１２（扇形体）が手前に飛び出す。台紙２の表紙３，４の見開き面７，８を正面に向けた場合、図６に示されるように、一対の側面部４１，４２と天面部６１との３つの面により箱体１２が立体的に見える。
【００２０】
一方、図７に示されるように、台紙２の表紙３，４の見開き面７，８を下に向けると、扇形の天面部６１が正面（ポップアップカード１を操作する人から見て手前）を向く。
【００２１】
ここで、従来のポップアップカードでは、台紙を開いたときにポップアップ体を引き上げる作動部材が、ポップアップ体の本体と切り離されていたので、部品点数が多く、製造工程が煩雑化する要因になっていた。
【００２２】
これに対し、本実施形態では、台紙２と、一体のまま展開可能なポップアップ体１１との２点の部品のみでポップアップカード１を構成したので、製造（組立）が容易であり、箱体１２（立体）が手前に飛び出す演出効果が高いポップアップカード１を低コストにて提供（製造）することができる。
また、本実施形態では、手前に飛び出したポップアップ体１１の箱体１２に図柄や文字を入れることにより、様々なシチュエーションのポップアップカード１に適用することができる。
例えば、扇形体である箱体１２を切り分けられた一片のケーキと見做し、側面部４１，４２にケーキの切断面を描くとともに天面部６１にケーキのトッピングを描くことにより、ポップアップカード１を誕生日のお祝い用のメッセージカードとして利用することができる。
【符号の説明】
【００２３】
１  ポップアップカード、２  台紙、５  折り目、１１  ポップアップ体、１２  箱体（箱形状）
【図１】
0003234639.tif 000003
【図２】
0003234639.tif 000004
【図３】
0003234639.tif 000005
【図４】
0003234639.tif 000006
【図５】
0003234639.tif 000007
【図６】
0003234639.tif 000008
【図７】
0003234639.tif 000009